(57)【要約】      （修正有）【課題】成型ドラムの外周に巻き付けたタイヤ構成部材同士を確実に密着させること。【解決手段】タイヤ成型用押圧ロール１０は、支持軸１１に軸方向に沿って配列されて支持される複数の押圧体１を備えており、押圧体は、成型ドラム２０の外周面に巻き付けられたタイヤ構成部材２１の表面に当接する当接部と、当接部の内側に配置されるとともに支持軸に軸支される軸支部１ｂと、当接部と軸支部との間を連結するとともに、弾性変形可能に形成された連結部とを備えている。【選択図】図７
2015131428.tif 000002
【特許請求の範囲】
【請求項１】
支持軸に軸方向に沿って配列されて支持される複数の押圧体を備えるタイヤ成型用押圧ロールであって、
前記押圧体は、成型ドラムの外周面に巻き付けられたタイヤ構成部材の表面に当接する当接部と、前記当接部の内側に配置されるとともに前記支持軸に軸支される軸支部と、前記当接部と前記軸支部との間を連結するとともに弾性変形可能に形成された連結部とを備えているタイヤ成型用押圧ロール。
【請求項２】
請求項１に記載されたタイヤ成型用押圧ロールにおいて、
前記連結部は、曲線状に形成されているタイヤ成型用押圧ロール。
【請求項３】
請求項２に記載されたタイヤ成型用押圧ロールにおいて、
前記連結部は、渦巻き状に形成されているとともに径方向の幅が内側から外側に行くに従い広くなるように形成されているタイヤ成型用押圧ロール。
【請求項４】
請求項３に記載されたタイヤ成型用押圧ロールにおいて、
前記連結部は、径方向に隣接する部分の間隙が内側から外側に行くに従い広くなるように設定されているタイヤ成型用押圧ロール。
【請求項５】
請求項１ないし４のいずれかに記載されたタイヤ成型用押圧ロールにおいて、
複数配列された前記押圧体の少なくとも一部は、前記連結部の弾性係数が異なっているタイヤ成型用押圧ロール。
【請求項６】
請求項１ないし５のいずれかに記載されたタイヤ成型用押圧ロールにおいて、
複数配列された前記押圧体の両端部には、前記押圧体の軸方向の移動を規制するストッパが前記支持軸に設けられているタイヤ成型用押圧ロール。
【請求項７】
請求項１ないし６のいずれかに記載されたタイヤ成型用押圧ロールと、外周面にタイヤ構成部材を巻き付ける成型ドラムとを備えているタイヤ成型装置。
【請求項８】
成型ドラムの外周面に巻き付けられたタイヤ構成部材に対して支持軸に軸方向に沿って配列された複数の押圧体により押圧してタイヤ構成部材同士を密着させる工程を備えたタイヤ成型方法であって、
前記工程では、前記押圧体の当接部を前記タイヤ構成部材の表面に当接させ、前記支持軸に軸支される前記押圧体の軸支部と前記当接部とを連結する連結部を弾性変形させ、前記連結部の弾性変形により前記当接部を前記タイヤ構成部材に押圧して、前記タイヤ構成部材同士を密着させるタイヤ成型方法。
【発明の詳細な説明】
【技術分野】
【０００１】
本発明は、タイヤ構成部材を成型するための成型ドラムの外周に巻き付けられたタイヤ構成部材の外周面を押圧して、タイヤ構成部材同士を密着させるタイヤ成型用押圧ロール、このタイヤ成型用押圧ロールと成型ドラムとを備えたタイヤ成型装置及びタイヤ成型方法に関する。
【背景技術】
【０００２】
タイヤを成型する工程では、成型ドラムにタイヤ構成部材を巻き付けて押圧ロールやステッチングロールを用いて密着させることが行われている。例えば、特許文献１には、ステッチングロールを成型ドラムの外周面の周方向に間隔をあけ、軸方向にオーバーラップする状態でタイヤ構成部材の表面を押圧することで、タイヤ構成部材の表面の凹凸、傾斜又は曲面がある場合でも十分なステッチングするようにした点が記載されている。
【０００３】
成型ドラムにタイヤ構成部材を巻き付けて押圧ロールにより密着させる場合、押圧ロールは、回動軸を成型ドラムの軸方向に沿って配置し、成型ドラムの外周面の全幅にわたって押圧ロールを圧接させることで、巻き付けたタイヤ構成部材を密着させるようにしている。押圧ロールとしては、例えば柔軟性を有するゴム、スポンジ等の素材を円柱状に形成したロールを用いて、中心軸を回動軸として成型ドラムに密着させるように構成したものが用いられている。
【０００４】
図８は、従来の柔軟性を有する押圧ロールの押圧動作に関する説明図である。ウレタンゴム製のロール本体１００は、円柱状に形成されており、その中心軸に沿って回動軸１０１が設けられている。回動軸１０１の両端部は、回動可能に軸支されている。ロール本体１００は、成型ドラム２００の外周面に巻き付けられたタイヤ構成部材２０１に対向配置されており、回動軸１０１は、成型ドラム２００の回動軸（図示せず）に並行配置されている。押圧動作を行う場合には、図８Ｂに示すように、ロール本体１００をタイヤ構成部材２０１に向かって移動させて圧接させる。ロール本体１００は、タイヤ構成部材２０１に圧接されることで、表面がタイヤ構成部材２０１の凹凸形状に合わせて変形する。
【０００５】
こうした柔軟性を有する押圧ロールを用いた場合、タイヤ構成部材の表面の凹凸形状が大きく変化しているときには、押圧ロールの形状追従性が不十分となって、図８Ｂに示すように、谷部分の押圧力が不足する。押圧力が不足する部分では、タイヤ構成部材を十分密着させることができず、空気が残留してしまい、製品の不良が生じるおそれがある。そこで、押圧力の不足を解消するために、押圧ロールのロール本体の材質を硬度の低い素材を用いることが考えられるが、タイヤ構成部材の凹凸形状の山部分に押圧力が集中して谷部分への押圧力が不十分となる。また、低い硬度の素材を押圧ロールに用いると、摩耗しやすくなって押圧ロールの寿命が短くなり、製造コストの負担が大きくなる。
【０００６】
柔軟性を有する押圧ロール以外にも、細幅で円形リング状の押圧体を支持軸に多数配列して構成したマコロールが用いられている。図９は、従来のマコロールの押圧動作に関する説明図である。マコロールは、細幅の円形リングからなる押圧体１１０を押圧ロールの軸方向に多数配列して、内側に棒状の支持軸１１１を貫通させて回動可能に支持されている。支持軸１１１は、成型ドラム２００の上方に配置されており、成型ドラム２００に対して接近又は離間するように移動可能に設けられている。
【０００７】
成型ドラム２００の外周面に巻き付けられたタイヤ構成部材２０１に対して、支持軸１１１を下方に移動させて押圧体１１０をタイヤ構成部材２０１に当接させた場合、図９Ｂに示すように、タイヤ構成部材２０１の表面の凹凸形状に合わせて押圧体１１０が上下に移動して押圧状態となる。押圧状態では、押圧体１１０の荷重がタイヤ構成部材２０１に加わることで、タイヤ構成部材２０１を密着した状態にする。
【０００８】
マコロールにおいて、タイヤ構成部材２０１の表面の凹凸形状が大きく変化する場合には、タイヤ構成部材２０１に対する形状追従性を向上させるために、押圧体１１０の厚さ（支持軸１１１方向の長さ）を薄くする必要がある。例えば、巻き付けられたタイヤ構成部材の周方向に、２つの隣接する山部分の間に幅の狭い谷部分が形成されている場合には、押圧体の当接面が谷部分の底に当接するだけの薄い厚さに形成されていないと、谷部分の底に十分な荷重が印加されずに浮いたままの状態となって空気が残留することになる。
【０００９】
しかしながら、押圧体１１０の厚さを薄くした場合、その分押圧体１１０の荷重が小さくなる。押圧体として機能させるためには、押圧体１１０の径を大きく設定して荷重を大きくしなければならない。押圧体１１０の径が大きくなると、マコロールのサイズが大きくなるため、タイヤ成型装置全体を大型化することが必要となって、装置コストや装置の設置スペースが増加することになる。
【先行技術文献】
【特許文献】
【００１０】
【特許文献１】特開２００７−２２３２２３号公報
【発明の概要】
【発明が解決しようとする課題】
【００１１】
そこで、本発明は、成型ドラムの外周に巻き付けたタイヤ構成部材同士を確実に密着させることができるタイヤ成型用押圧ロール、タイヤ成型装置及びタイヤ成型方法を提供することを目的とするものである。
【課題を解決するための手段】
【００１２】
本発明に係るタイヤ成型用押圧ロールは、支持軸に軸方向に沿って配列されて支持される複数の押圧体を備えるタイヤ成型用押圧ロールであって、前記押圧体は、成型ドラムの外周面に巻き付けられたタイヤ構成部材の表面に当接する当接部と、前記当接部の内側に配置されるとともに前記支持軸に軸支される軸支部と、前記当接部と前記軸支部との間を連結するとともに弾性変形可能に形成された連結部とを備えている。
【発明の効果】
【００１３】
本発明は、当接部と軸支部との間に弾性変形可能な連結部を備えることで、連結部の弾性変形により生じる付勢力で当接部をタイヤ構成部材に押圧させてタイヤ構成部材同士を確実に密着させることができる。
【図面の簡単な説明】
【００１４】
【図１】本発明の実施形態に係るタイヤ成型用押圧ロールに用いられる押圧体の正面図及び側面図である。
【図２】当接部がタイヤ構成部材に対して押圧状態となった場合を示す説明図である。
【図３】連結部を２重に渦巻き状に形成した押圧体に関する正面図である。
【図４】連結部を複数本で放射状に形成した押圧体に関する正面図である。
【図５】連結部を複数本で放射状に形成した押圧体に関する正面図である。
【図６】樹脂材料及び金属材料で構成した押圧体の分解斜視図である。
【図７】複数枚の押圧体を軸方向に配列したタイヤ成型用押圧ロールの概略構成図及び押圧体の動作説明図である。
【図８】従来の柔軟性を有する押圧ロールの押圧動作に関する説明図である。
【図９】従来のマコロールの押圧動作に関する説明図である。
【発明を実施するための形態】
【００１５】
以下、本発明の実施形態について図面を用いて説明する。
図１は、本発明の実施形態に係るタイヤ成型用押圧ロールに用いられる押圧体の正面図（図１Ａ）及び側面図（図１Ｂ）である。押圧体１は、成型ドラムの外周面に巻き付けられたタイヤ構成部材の表面に当接する、細幅でリング状の当接部１ａ、当接部１ａの内側に配置されるとともに支持軸に軸支される細幅で円形状の軸支部１ｂ、及び、当接部１ａと軸支部１ｂとの間を連結するとともに弾性変形可能に形成された連結部１ｃを備えている。
【００１６】
この実施形態では、連結部１ｃは、細幅で渦巻き状となるように曲線状に形成されており、当接部１ａ及び軸支部１ｂと一体形成されている。ここで、曲線状の形状には、所定の曲率を有する円弧状に形成された形状を含む。当接部１ａは、円形状に形成されて外周面がタイヤ構成部材に当接しながら転動して押圧するようになっており、当接部１ａの外周面の幅（当接部１ａの厚さ）がタイヤ構成部材の凹凸形状に合わせて適宜設定されるようになっている。
【００１７】
図２は、当接部１ａがタイヤ構成部材に対して押圧状態となった場合を示す説明図である。図２に示すように、連結部１ｃが径方向に弾性変形して当接部１ａが軸支部１ｂに接近するように変位し、連結部１ｃの弾性変形により生じる付勢力が当接部１ａの外周面に加わってタイヤ構成部材を押圧する。そのため、タイヤ構成部材の表面の凹凸形状に合わせて当接部１ａの外周面の幅を狭く設定した場合でも、当接部１ａにより所定の押圧力がタイヤ構成部材に印加され、タイヤ構成部材を確実に密着させることができる。また、連結部１ｃの弾性変形により所定の押圧力が付加されるため、押圧体１の大きさを小さくすることが可能となる。そのため、タイヤ成型用押圧ロールのサイズを小さくすることが可能となり、タイヤ成型装置全体のコンパクト化を図ることができる。
【００１８】
当接部１ａによるタイヤ構成部材への押圧力は、連結部１ｃの形状を変化させることで調整することができる。例えば、図３に示すように、連結部１ｃ’を２重の渦巻き状に形成することで、連結部１ｃ’の剛性を高めることができる。タイヤ構成部材の凹凸形状の谷部分が狭く深い場合でも、連結部の剛性を高めた押圧体１により当接部１ａを谷部分に押し込むことで、谷部分の底に対してもタイヤ構成部材を確実に密着させることが可能となる。
【００１９】
連結部の形状を設計する場合には、弾性変形した際の荷重が１箇所に集中せずに連結部全体で支えるような構造にすることが望ましい。押圧体１の当接部１ａを内側に向かって変位させるように荷重が加わった場合、連結部の内側よりも外側の方が負荷が大きくなる。そのため、図３に示すように、連結部１ｃ’の径方向の幅は、内側から外側に行くに従い広くなるように形成して強度を高めるとともに、内側から外側に行くに従い径方向に隣接する部分の間隙が広くなるように設定して、外側部分で変形が大きくなった場合でも、連結部１ｃ’同士が接触しないようにしている。
【００２０】
このように連結部１ｃ’の幅や間隙を設定することで、連結部１ｃ’が内側から外側にかけて全体的に一様に変形するようにして、その耐久性を高めることができ、回動角度による押圧力のバラツキを小さくすることができる。また、負荷が集中する連結部１ｃ’の当接部１ａ又は軸支部１ｂとの接続部分は、広幅に設定して径方向に対してできるだけ傾斜させて負荷が集中しないように設定する。
【００２１】
図１及び図３では、連結部を渦巻き状に形成しているが、連結部を複数本で放射状に形成することもできる。図４及び図５は、連結部を複数本で放射状に形成した例を示す正面図である。図４に示す押圧体２では、リング状の当接部２ａを、連結部２ｃを介して軸支部２ｂと連結しており、連結部２ｃは、複数本の曲線状のスポーク形状に形成している。この実施形態では、連結部２ｃを複数本で形成することで、剛性を高めることができ、本数を増加させれば、さらに高剛性とすることが可能となる。また、連結部２ｃを曲線状に形成することで、連結部２ｃの弾性率を容易に精度よく設定することができる。また、連結部２ｃの当接部２ａ又は軸支部２ｂとの接続部分を径方向に対してできるだけ傾斜させて広幅に設定することで、接続部分に負荷が集中しないようになっている。
【００２２】
図５に示す押圧体３では、軸支部３ｂから複数本の曲線状で細幅の羽根部３ｃを外側に向かって放射状に突出させており、羽根部３ｃの先端部分３ａがタイヤ構成部材を押圧する当接部３ａとなっている。この実施形態では、リング状の当接部を備えていないが、複数の先端部分３ａが回動しながらタイヤ構成部材に接触することで押圧状態に設定することができる。また、タイヤ構成部材の表面の凹凸形状に合わせて羽根部３ｃの先端部分３ａと軸支部３ｂとの間の部分の剛性を高めることで、連結部と同様に弾性変形して所定の押圧力を得るように設定することができる。
【００２３】
以上説明したように、連結部を渦巻き状又は放射状に形成することで、当接部に加わる荷重とその変位量との間に線形性を有するように設計可能となり、押圧体の回動角度によるバラツキも小さくすることができる。そのため、押圧体によるタイヤ構成部材への押圧力を精度よく設定することができ、タイヤ構成部材の部位毎に異なる押圧力を与えるように設定することも可能となる。
【００２４】
押圧体に用いられる材料としては、一体成形可能で量産化しやすい樹脂材料が好ましい。具体的には、例えば、ポリアセタール樹脂（ＰＯＭ）といった樹脂材料が挙げられる。樹脂材料は、押圧体に必要な変位量及び押圧力に基づいて適宜選択することができる。樹脂材料を用いて成形加工する場合、精度を維持して厚さを薄くすることができるため、従来のマコロールに用いられている金属材料の押圧体に比べて軽量化しやすく当接部の外周面の幅を狭くすることが可能で、押圧体の厚さをタイヤ構成部材に合わせて精度よく設定することもできる。
【００２５】
例えば、ＰＯＭを用いて一体成形する場合、押圧体の厚さを１ｍｍ〜５ｍｍで精度よく成型することができる。厚さを薄くした場合でも連結部の径方向の弾性係数を２５ｇ／ｍｍ〜７５ｇ／ｍｍに設定することが可能で、タイヤ構成部材の表面形状にきめ細かく対応できる押圧体が得られる。
また、樹脂材料及び金属材料を組み合せて押圧体を構成してもよい。例えば、図６に示すように、押圧体４の外周囲の幅を狭く設定する当接部４ａには樹脂材料を用いてリング状に成形加工し、連結部４ｃ及び軸支部４ｂには弾性力の大きい金属材料を用いて曲線状に機械加工し、当接部４ａの内側に連結部４ｃ及び軸支部４ｂを嵌め込んで押圧体４を構成することができる。得られた押圧体４は、小さいサイズで当接部の外周面の幅を狭く設定するとともに弾性力を大きくすることができる。
なお、連結部４ｃ及び軸支部４ｂは、それぞれリング状に形成された金属材料を、軸支部４ｂの周りに連結部４ｃを図示例では２つ同心円状に配置し、金属材料でできた湾曲した連結片４ｃ（１）、４ｃ（２）を例えば溶着などの適宜の手段で取り付けて一体化した構造である。また、連結部４ｃを当接部４ａに嵌め込むため、連結部４ｃの外周には突部４ｃ（３）が、また、当接部４ａには、突部４ｃ（３）を嵌合する切欠溝４ａ（１）が設けられており、当接部の弾力を利用して両者を嵌合する。
【００２６】
図７は、複数枚の押圧体１を軸方向に配列したタイヤ成型用押圧ロール１０に関する概略構成図（図７Ａ）、及び押圧体１の動作説明図（図７Ｂ）である。タイヤ成型用押圧ロール１０は、複数枚の押圧体１を厚さ方向に重ね合せて各押圧体１の軸支部に棒状の支持軸１１を貫通させて構成されている。押圧体１は、連結部の弾性係数が異なる３つのグループ１２〜１４からなり、グループ１２は、タイヤ構成部材２１の表面の凹凸形状の変化が大きい部位に対応するため弾性係数が小さく当接部の外周面の幅を凹凸形状に合わせてきめ細かく設定されている。グループ１３は、タイヤ構成部材２１の表面の凹凸形状の変化がほとんどない部位に対応するため弾性係数が大きく当接部の外周面の幅がほぼ一定に設定されている。グループ１４は、タイヤ構成部材２１の表面の凹凸形状の変化が小さい部位に対応するため、弾性係数がグループ１２よりも大きくグループ１３よりも小さく設定され、当接部の外周面の幅を凹凸形状に合わせて設定されている。
【００２７】
このように、タイヤ構成部材２１の表面形状に合わせて押圧体１の弾性係数及び外周面の幅をきめ細かく設定することで、タイヤ構成部材２１を押圧体１により満遍なく押圧して確実に密着させることができる。
軸方向に配列された押圧体１の両端部には、押圧体１の軸方向の移動を規制する円板状のストッパ１５が支持軸１１に設けられており、押圧体１が軸方向にずれずに安定して押圧動作が行われるようになっている。そのため、押圧体１は、それぞれ軸方向の所定位置で回動可能に支持されて、タイヤ構成部材２１の所定位置を確実に押圧して密着させることができる。
【００２８】
支持軸１１は、成型ドラム２０の上方に配置されており、成型ドラム２０に対して接近又は離間するように移動可能に設けられている。成型ドラム２０の外周面に巻き付けられたタイヤ構成部材２１に対して、支持軸１１を下方に移動させて複数枚の押圧体１をタイヤ構成部材２１に当接させる。押圧体１は、タイヤ構成部材２１の表面形状に合わせて当接部１ａが上下に変位して、連結部１ｂが弾性変形することで押圧状態となる。タイヤ成型用押圧ロール１０を押圧状態に設定したまま成型ドラム２０を回転させることで、成型ドラム２０に巻き付けられたタイヤ構成部材２１の表面をタイヤ成型用押圧ロール１０が転動して、タイヤ構成部材２１を密着した状態にする。
【００２９】
以上説明したタイヤ成型用押圧ロールを用いることで、成型ドラムの外周面に巻き付けたタイヤ構成部材の表面の凹凸形状に合わせて所望の押圧力を加えてタイヤ構成部材を確実に密着させることができる。例えば、コンター付きゴム部材といったタイヤ構成部材の場合でも凹凸形状に合わせて満遍なく押圧して密着させることができ、タイヤ構成部材の間に空気が残留しないようにすることが可能となる。そのため、タイヤ構成部材の間に残留する空気を抜くために従来より行われているステッチング工程が不要となり、タイヤ成型工程の簡略化を図ることができる。
【００３０】
また、タイヤ成型用押圧ロールを用いることで、タイヤ構成部材同士の貼り合せ強度が向上することから、部材間の剥離防止に用いることもできる。また、凹凸形状を有する部材を押さえ付ける場合に、タイヤ成型用押圧ロールを用いれば、部材を安定した状態で押さえ付けておくことができる。
【符号の説明】
【００３１】
１、２、３・・・押圧体、１ａ、２ａ、３ａ、４ａ・・・当接部、１ｂ、２ｂ、３ｂ、４ｂ・・・軸支部、１ｃ、１ｃ’、２ｃ、３ｃ、４ｃ・・・連結部、１０・・・タイヤ成型用押圧ロール、１１・・・支持軸、１２、１３、１４・・・押圧体のグループ、１５・・・ストッパ。
【図１】
2015131428.tif 000003
【図２】
2015131428.tif 000004
【図３】
2015131428.tif 000005
【図４】
2015131428.tif 000006
【図５】
2015131428.tif 000007
【図６】
2015131428.tif 000008
【図７】
2015131428.tif 000009
【図８】
2015131428.tif 000010
【図９】
2015131428.tif 000011